(57)【特許請求の範囲】
【請求項１】
押し釦と、該押し釦に接続された押し棒とが備えられた操作部を構成する第一機構ユニットと、
前記押し釦が軸方向に押動操作されることにより開弁操作が可能に設けられた弁体が備えられるとともに、予め設定した吐水量の湯水を吐水した後に前記弁体が閉止されて自動的に止水する第二機構ユニットとが設けられた自閉水栓用カートリッジであって、
係合具が備えられ、
前記第一機構ユニットと前記第二機構ユニットは別体に設けられるとともに、前記第一機構ユニットと、前記第二機構ユニットには、該係合具によってそれぞれが弾性係合固定可能な係合部が設けられ、
前記第一機構ユニットと前記第二機構ユニットは、前記係合具によって弾性係合固定が可能に設けられるとともに、前記押し棒が前記第一機構ユニットに脱落不能に組み付けられた状態かつ前記弁体が前記第二機構ユニットに脱落不能に組み付けられた状態で、相互に取り外し可能に設けられたことを特徴とする自閉水栓用カートリッジ。
【請求項２】
前記係合部は、前記第一機構ユニットと前記第二機構ユニットにそれぞれ形成された突条であり、
前記係合具は、係止片と、該係止片の基端側に連接されるとともに中央が外方に向けて突出されるように湾曲形成された湾曲部とが備えられた一対の本体部と、該一対の本体部を連接する連接部とが備えられたクイックファスナーであって、
前記一対の本体部の二つの係止片間の距離は、前記第一機構ユニットと前記第二機構ユニットそれぞれの機構ユニットの前記突状の側方の部位の外径よりも小さく設けられるとともに、前記一対の本体部の係止片間が弾性拡開可能に設けられ、
前記湾曲部には、前記突状が嵌合可能な嵌合孔が形成されていることを特徴とする請求項１に記載の自閉水栓用カートリッジ。
【請求項３】
前記第二機構ユニットには、第二機構ユニット本体と蓋とが備えられ、該第二機構ユニット本体と該蓋とがバヨネット方式により嵌合固定されていることを特徴とする請求項１又は請求項２に記載の自閉水栓用カートリッジ。
【請求項４】
前記した請求項１から請求項３のいずれかに記載の自閉水栓用カートリッジが備えられることを特徴とする自閉水栓。
【発明の詳細な説明】
【技術分野】
【０００１】
本発明は、予め設定した吐水量の湯水を吐水した後に自動的に止水する自閉水栓に用いられる自閉水栓用カートリッジ（及び自閉水栓）に関する。
【背景技術】
【０００２】
近年、健康増進やリラクゼーション効果の享受等を目的として公衆の温浴施設・温泉施設が増加している。これらの温浴施設等内には多数の水栓が設置され、不特定多数の利用者がランダムにこれらの水栓を利用している。そこで、このような温浴施設等においては、節水効果や耐久性の向上、維持管理の容易性を目的にして、予め設定した吐水量の湯水を吐水した後に自動的に止水する自閉水栓が多く用いられている。
【０００３】
一方、このような温浴施設等において用いられる自閉水栓においては、不特定多数の利用者によって通常の水栓よりも頻繁に使用されること、地下水や温泉水等の腐食性の高い湯水が使用されることが多いこと等を理由として、通常の水栓よりも、シール不良や異物の付着等を原因とする止水不良や漏水が生じやすいという問題があった。このため、従来、シール部材の交換などのメンテナンス・修理を容易に行えるようにするために、押し釦と押し棒を備えた操作部を備えた第一機構ユニットと、この押し棒を押動操作することにより開弁される弁体を備えた第二機構ユニットとをそれぞれ別体に設け、これらの取り外し可能な二つの機構ユニットによって自閉機構部を構成し、メンテナンス・修理の必要が生じた場合には二つの機構ユニット毎に分解可能として分解作業を容易にすると共に、シール部材の交換のみを可能として修理コストを抑制する自閉水栓用カートリッジが提案されていた（特許文献１参照）。
【先行技術文献】
【特許文献】
【０００４】
【特許文献１】特開２００５−３０８２０８号公報（図５、図６、図８）
【発明の概要】
【発明が解決しようとする課題】
【０００５】
前述した従来の自閉水栓用カートリッジは、自閉機構部を二つの機構ユニットから構成することにより分解作業を容易とするものであるが、二つの機構ユニットの接続方法は、それぞれの機構ユニットに設けられた接続ねじの締結によるものとされている。前述した通り、公衆の温浴施設等に設置された自閉水栓は、メンテナンス・修理を頻繁に行う必要がある。そしてまた、メンテナンス等を頻繁に行うため、温浴施設等の従業員が自ら自閉水栓を分解して自閉水栓用カートリッジのメンテナンス等を行うことが必要とされることも多い。しかしながら従来の自閉水栓用カートリッジでは、接続ねじを外して分解をする必要があるためメンテナンス等の作業に時間がかかったり、接続ねじを外すために工具を必要とするなど、このような自閉水栓用カートリッジが実際に利用される現場で要求されるほどの作業の容易性をいまだ備えてはいなかった。また、自閉水栓用カートリッジは、それぞれの機構ユニットにねじ山を刻設することが必要となるため、全長が長くならざるを得ないという問題もあった。
【０００６】
本発明は前述した従来技術の問題点を解決しようとするものであり、分解作業に要する時間を短縮し、また分解作業をより一層容易にすることができ、メンテナンス等の作業を一層簡便に行うことのできる自閉水栓用カートリッジ及び自閉水栓を提供することを目的とする。また、より小型化することのできる自閉水栓用カートリッジを提供することも目的とする。
【課題を解決するための手段】
【０００７】
本発明の第一の手段は、
押し釦と、該押し釦に接続された押し棒とが備えられた操作部を構成する第一機構ユニットと、
前記押し釦が軸方向に押動操作されることにより開弁操作が可能に設けられた弁体が備えられるとともに、予め設定した吐水量の湯水を吐水した後に前記弁体が閉止されて自動的に止水する第二機構ユニットとが設けられた自閉水栓用カートリッジであって、
係合具が備えられ、
前記第一機構ユニットと前記第二機構ユニットは別体に設けられるとともに、前記第一機構ユニットと、前記第二機構ユニットには、該係合具によってそれぞれが弾性係合固定可能な係合部が設けられ、
前記第一機構ユニットと前記第二機構ユニットは、前記係合具によって弾性係合固定が可能に設けられるとともに、前記押し棒が前記第一機構ユニットに脱落不能に組み付けられた状態かつ前記弁体が前記第二機構ユニットに脱落不能に組み付けられた状態で、相互に取り外し可能に設けられたことを特徴とするものである。
【０００８】
「係合具」はクイックファスナー、ピン、クリップなど、係合部を弾性係合固定可能な各種の係合具を用いることができる。「係合部」は突条、突起などの凸状の部位や、凹溝など凹状の部位など、係合具により弾性係合固定可能な形状を備えた部位をいう。このように二つの機構ユニットを係合具によって弾性係合固定したので、メンテナンス等の必要な場合には、係合具を取り外せば二つの機構ユニットを工具無しで容易に分解することができる。また、二つの機構ユニットの固定のためにそれぞれにねじ山が刻設されるねじ部を設ける必要が無いので、ねじ山を設けるための長さの分の全長を短くすることができる。
【０００９】
また、本発明の第二の手段は、
前記係合部は、前記第一機構ユニットと前記第二機構ユニットにそれぞれ形成された突条であり、
前記係合具は、係止片と、該係止片の基端側に連接されるとともに中央が外方に向けて突出されるように湾曲形成された湾曲部とが備えられた一対の本体部と、該一対の本体部を連接する連接部とが備えられたクイックファスナーであって、
前記一対の本体部の二つの係止片間の距離は、前記第一機構ユニットと前記第二機構ユニットそれぞれの機構ユニットの前記突状の側方の部位の外径よりも小さく設けられるとともに、前記一対の本体部の係止片間が弾性拡開可能に設けられ、
前記湾曲部には、前記突状が嵌合可能な嵌合孔が形成されていることを特徴とするものである。
【００１０】
前記した「係合具」として、このような構成のクイックファスナーを用いることにより、係止部間を弾性拡開するようにして、それぞれの機構ユニットの突条を抱持させるように、かつ、湾曲部の嵌合孔に突条を嵌合させるようにしてクイックファスナーを取り付けることができ、これにより、二つの機構ユニットのそれぞれの突条を固定して、二つの機構ユニットを容易に係合固定することができる。また、二つの機構ユニットの係合を解除する場合には、これとは逆に突条から湾曲部を取り外すようにして、固定・固定解除の作業をより簡便に行うことが可能となる。
【００１１】
また、本発明の第三の手段は、
前記第二機構ユニットには、第二機構ユニット本体と蓋とが備えられ、該第二機構ユニット本体と該蓋とがバヨネット方式により嵌合固定されていることを特徴とするものである。
【００１２】
ねじ止めにより本体と蓋とが固定されておらず、「バヨネット方式」により嵌合固定されているので、第二機構ユニット本体と蓋とを相対的に所定角度回転させるだけで固定を解除でき、これらを容易に分解することができる。また、分解の際に特別な工具も必要としない。よって、第二機構ユニット内部の弁体やシール部材の交換や第二機構ユニット内部の清掃を極めて容易に行うことができる。
【００１３】
また、本発明の第四の手段は、
前記したいずれかの自閉水栓用カートリッジが備えられることを特徴とする自閉水栓である。
【発明の効果】
【００１４】
本発明の自閉水栓用カートリッジは前述のように構成され、係合具を取り外すだけで二つの機構ユニットを分解でき、特に工具を必要とすることなくメンテナンス等を行うことができる。よって、不特定多数の利用者によって通常の水栓よりも頻繁に使用され、地下水や温泉水等の腐食性の高い湯水が使用されることが多く、通常の水栓よりもシール不良や異物の付着等による止水不良や漏水が生じやすい自閉水栓であっても、内部のシール部材を交換する際や清掃の際に二つの機構ユニットから係合具を取り外すだけで、これらのシール部材を簡単に交換したり、清掃をしたりすることができるのでメンテナンス等に要する時間を大幅に短縮でき、また、熟練者以外でも容易にメンテナンス等の作業を実施することができる。また、部品の交換が必要な場合には不具合が生じた部品のみを交換すれば足り、ユニット全体を交換する必要がないので、無駄なメンテナンス費用を抑制することができる。また、二つの機構ユニットはねじ固定を行なわずねじ山を省いて固定を行うことができるので、ねじ山を刻設しない分だけ全長を短くすることができ、自閉水栓用カートリッジの小型化を図ることができる。また、第三の手段では、特にシール不良が問題とされるシール部材や弁体を内部に備えた第二機構ユニット自体についても工具を要することなく蓋を取り外すことができるので、メンテナンス等に要する時間をより一層短縮でき、またその作業性も一層簡便にすることもできる。
【図面の簡単な説明】
【００１５】
【図１】本発明の自閉水栓用カートリッジを用いた湯水混合水栓の斜視図である。
【図２】本発明の自閉水栓用カートリッジの平面視横断面図である。
【図３】本発明の自閉水栓用カートリッジの分解斜視図である。
【発明を実施するための形態】
【００１６】
次に、本発明の実施の形態を図を参考にして詳細に説明する。自閉水栓１は、図１に示されるように、温浴施設等のカウンター（図示省略）に多数配設されているものであり、自閉水栓１を操作することにより、予め設定した吐水量の湯水を吐水した後に、自動的に止水するように設けられているものである。
【００１７】
自閉水栓１は、温浴施設等のカウンター上方の壁面に設置され、壁面裏側に引き回された給湯配管・給水配管の端末具（図示省略）から湯・水が供給されて、それらを適宜量混合して所望の湯温の湯水を吐出させるものである。自閉水栓１には、横長の水栓本体３と、水栓本体３の左側端部に回動自在に取り付けられた温度調節ハンドル４と、水栓本体３の右側端部に回動自在に取り付けられたシャワー吐水ハンドル５と、水栓本体３の下部中央正面側寄りに突設された吐水口６が備えられている。また、水栓本体３の背面側には、シャワーホース（図示省略）に接続されるシャワー接続口７が突設されている。そして、水栓本体３の背面側には、給湯配管・給水配管の端末具に各々接続される湯側ソケット８と水側ソケット９とがそれぞれ接続されている。そして、自閉水栓１の水栓本体３の正面側中央に、本発明の自閉水栓用カートリッジ２が配設されている。
【００１８】
このように構成された自閉水栓１は、給湯配管から流入される約８０℃の湯が湯側ソケット８から水栓本体３内に流入され、給水配管から流入される水が水側ソケット９から水栓本体３内に流入され、これらが水栓本体３内において温度調節ハンドル４により駆動される弁装置（図示省略）により所望の温度の湯水に混合される。そして、シャワー吐水ハンドル５により駆動される弁装置（図示省略）によりシャワー接続口７への吐止水及び吐水量調節が行われて、シャワーから所望の温度で適宜量の湯水が吐出されるように構成されている。そしてまた、自閉水栓用カートリッジ２を押動操作することにより、吐水口６から、予め設定した吐水量の湯水が吐水され、その後自動的に止水する。
【００１９】
自閉水栓用カートリッジ２は、図２及び図３に示されるように、別体に分解可能な第一機構ユニット２０と第二機構ユニット６０とから構成されている。第二機構ユニット６０には、吐水口６からの吐止水を行う自閉式開閉弁６２が備えられ、第一機構ユニット２０には、この自閉式開閉弁６２を駆動操作するための操作部２２が備えられている。
【００２０】
操作部２２には、第二機構ユニット６０側の自閉式開閉弁６２に当接して駆動するスピンドル２４と、このスピンドル２４をねじ止め固定して保持する略円筒状のホルダー２６とが備えられている。また、ホルダー２６の先端側には、使用者が押動操作をする際に直接触れることになるキャップ２８が取り付けられている。
【００２１】
スピンドル２４は、ホルダー２６内においてその軸心方向にねじ込まれてホルダー２６に対して固定されるとともに、ホルダー２６外側面から、ホルダー２６側面及びスピンドル２４側部をそれぞれの径方向に貫通してねじ込まれた二つのビス３０によって、さらに強固に固定されている。
【００２２】
また、ホルダー２６の基端側内周面には、挿嵌されるスピンドル２４外周面との水密を図るための第１シール部材３２ａが取り付けられている。また、ホルダー２６の基端側には、後述するコイルバネ３３が装着される段部２７が形成されている。
【００２３】
そして、これらのスピンドル２４及びホルダー２６は、略円筒状のボンネット３４内に、軸心方向に沿って進退自在に挿嵌されている。また、さらにボンネット３４は、略円筒状の収納部材５４内に取り付けられている。ボンネット３４の先端側は、収納部材５４の先端側開口部５５の内側周縁部５６に係止されて収納されている。また、収納部材５４外周面にはリブ５７が周設されるとともに、このリブ５７よりも基端側の外周面には雄ねじが刻設されており、リブ５７が水栓本体３に開口された取付孔１０周縁部に当接するまで収納部材５４を取付孔１０内にねじ込むことにより、自閉水栓用カートリッジ２が水栓本体３に固定されるように設けられている。
【００２４】
また、ボンネット３４の側部には、軸心方向に沿って長く形成されるとともにビス３０の先端部よりも僅かに幅広に形成された長円形状の係止孔３５が開設されており、ホルダー２６に固定されたビス３０の先端部がこの係止孔３５内に係止されるとともに係止孔３５内をその長手方向に沿って移動可能に設けられることにより、スピンドル２４及びホルダー２６がボンネット３４内においてその軸心方向に沿って進退自在となるように構成されている。
【００２５】
また、ボンネット３４の基端側端部中央には、スピンドル２４が挿通可能な挿通孔３６が開設されており、スピンドル２４はこの挿通孔３６を介して第二機構ユニット６０側に進退自在に構成されている。また、挿通孔３６には、後述する第二機構ユニット６０の嵌合凸部７３が嵌合される嵌合凹部３９が形成されており、これらの嵌合凸部７３と嵌合凹部３９が嵌合されることにより、第一機構ユニット２０と第二機構ユニット６０とが軸心回りに回転せず位置決めがなされるように構成されている。嵌合凸部７３の外形状は図３に示すように、左右に平行部７３ａを備えた長円形状とされて非真円形状に形成されている。また、嵌合凹部３９の内形状は、嵌合凸部７３と同形状で嵌合凸部７３よりも僅かに大きく形成されている。
【００２６】
また、ボンネット３４の挿通孔３６には、スピンドル２４先端側の第二通水路１２内の湯水がボンネット３４内に浸入することを防止するために、第２シール部材３２ｂが取り付けられている。また、ボンネット３４内側の挿通孔３６の周囲の部位には、コイルバネ３３が外側に挿嵌される円筒部３７が形成されており、コイルバネ３３は、前述したホルダー２６基端側の段部２７と、ボンネット３４側の円筒部３７周りの間に装着されて、軸心方向に沿って進退自在なスピンドル２４及びホルダー２６を、ボンネット３４内において、キャップ２８側に付勢している。
【００２７】
また、係止孔３５よりも基端側のボンネット３４の外周面には、収納部材５４の基端側端部５８に当接可能なリブ３８が形成されている。また、このリブ３８よりも基端側のボンネット３４の外周面には、水栓本体３の取付孔１０との間に介装されて、水栓本体３の第二通水路１２内の湯水が水栓本体３の外側に漏れないようにシールするための第３シール部材３２ｃが取り付けられている。そして、ボンネット３４は、そのリブ３８が、水栓本体３の取付孔１０にねじ込み固定された収納部材５４の基端側端部５８と水栓本体３の取付孔１０内に形成された段部１３との間に挟持されることにより水栓本体３に固定されるよう構成されている。そしてまた、ボンネット３４の基端には、ボンネット３４基端寄りの外径よりも大径となるように突出して周設され「突条」として形成された第１係合部４０が設けられている。この第１係合部４０が本発明に言う「第一機構ユニット」側の「係合部」の一例である。
【００２８】
ついで第二機構ユニット６０について説明する。第二機構ユニット６０は、略円筒状に形成されており、第二機構ユニット本体６４と、これにバヨネット方式で嵌合する蓋６６とが備えられている。
【００２９】
蓋６６は、先端側に小径の小径円筒部６８を備え、基端側に大径の大径円筒部７１を備えている。小径円筒部６８の先端には、第一機構ユニット２０側の第１係合部４０とほぼ同径の外径・厚みの「突条」として形成された第２係合部７２が形成されている。後述するように、これらの第１係合部４０と第２係合部７２とがクイックファスナー１００によって係合されることにより、第一機構ユニット２０と第二機構ユニット６０とが係合固定されることになる。
【００３０】
第２係合部７２の中央先端側には、前述した第一機構ユニット側２０の嵌合凹部３９に対して、自閉水栓用カートリッジ２の軸心回りにおいて嵌合可能な嵌合凸部７３が設けられている。そしてこれらの第２係合部７２及び嵌合凸部７３の中心を貫通するようにして、スピンドル２４が挿通可能な挿通孔７４が開設されており、この挿通孔７４を通して第二機構ユニット６０内にスピンドル２４が進退自在となるように構成されている。また、大径円筒部７１の外周面には、水栓本体３の第一通水路１１と第二通水路１２とを隔てる隔壁１４とのシールを図るための第４シール部材３２ｄが取り付けられている。また、蓋６６の大径円筒部７１内には、後述するスリーブ８６の一部が挿嵌可能な挿嵌凹部７５が形成されている。そして、蓋６６の大径円筒部７１外周面には一定の間隔・長さで形成された二つの嵌合突条６７が周設されている。
【００３１】
第二機構ユニット本体６４は、有底円筒状に形成されており、その内部に、蓋６６との間に構成される圧力室８０が備えられている。圧力室８０の内側底部には、コイルバネ８１が周囲に装着される円筒部８２が形成されており、また、この円筒部８２の中央には、第一通水路１１と連通する小穴８３が形成されている。また、第二機構ユニット本体６４の外周面には、第一通水路１１と連通可能な通水孔８４が開設されている。そして、第二機構ユニット本体６４の開口外周面には、前述した蓋６６の嵌合突条６７とバヨネット方式により嵌合可能な二つの嵌合突条６５が一定の間隔・長さで周設されている。
【００３２】
そして、圧力室８０内には、圧力室８０内においてその軸心方向に沿って摺動可能に設けられたスリーブ８６が収容されている。スリーブ８６には、基端側に圧力室８０内径より僅かに小径に形成された大径円筒部８８と、前述した蓋６６の挿嵌凹部７５内に挿嵌可能な挿嵌部９０が備えられている。第二機構ユニット本体６４の円筒部８２に向けて開口された大径円筒部８８の奥端には、副弁９２が、挿嵌部９０内を貫通して、挿嵌部９０先端寄りに僅かに突出可能なように、円筒部８２に装着されたコイルバネ８１により、挿嵌部９０先端方向に付勢されて取り付けられている。また、挿嵌部９０の基端側には、副弁９２との間に、自閉式開閉弁６２が装着されている。そしてまた、スリーブ８６の外周面には、圧力室８０とのシールを図る第５シール部材３２ｅが取り付けられている。そしてまた、コイルバネ８１には、小穴８３内に挿嵌自在とされるクリーニングピン８１ａが備えられている。
【００３３】
ついで、本発明の「係合具」の一例であるクイックファスナー１００について説明する。クイックファスナー１００は、係止片１０２と係止片１０２の基端側に連接されるとともに中央が外方に向けて突出されるように湾曲形成された湾曲部１０４とが備えられた本体部１０１を備えており、このような本体部１０１の一対が、湾曲部１０４側において連接部１０６により連設され、連設部１０６の両端部を支点にして係止片１０２間を弾性拡開可能に構成されたものである。また、これらの二つの係止片１０２間の距離は、第一機構ユニット２０の第１係合部４０及び第二機構ユニット６０の第２係合部７２の外径よりも小さく設けられている。また、二つの湾曲部１０４の内側面からなる形状は、これらの両係合部４０，７２よりも小径に設けられると共に、湾曲部１０４には、第１係合部４０，第２係合部７２が当接された状態で嵌合可能な嵌合孔１０８がそれぞれ開設されている。
【００３４】
このように構成された自閉水栓１では、概略的に説明すると、キャップ２８を介して第一機構ユニット２０の操作部２２の押動操作を行うと、スピンドル２４が、第二機構ユニット６０側の副弁９２及び自閉式開閉弁６２を駆動して、第一通水路１１から第二通水路１２へと予め定められた所定の吐水量の湯水を流通させた後に閉止されるように開閉操作を自動的に行う。そしてこのような自閉水栓１が一定期間使用された場合には、特に第二機構ユニット６０内の副弁９２や自閉式開閉弁６２が劣化したり損傷することがあり、このためにこれらの部品を交換等するために自閉水栓用カートリッジ２を分解する必要が生ずる。特に、操作部２２の頻繁な押動操作による衝撃を受ける自閉水栓用カートリッジ２においては、このような部品交換等の頻度は多い。また、特に温泉施設などでは、地下水や温泉水等の腐食性の高い湯水が使用されることが多いので湯水による汚れが蓄積し易いため、第二機構ユニット６０内を清掃する必要が頻繁に生じやすい。
【００３５】
このような部品交換等のために分解の必要が生ずる場合に、この自閉水栓用カートリッジ２においては、まず水栓本体３から収納部材５４のねじを緩めるようにして自閉水栓用カートリッジ２を取り外し、ついでクイックファスナー１００を弾性拡開するようにして第一機構ユニット２０の第１係合部４０及び第二機構ユニット６０の第２係合部７２から取り外すだけで、第一機構ユニット２０と第二機構ユニット６０を工具無しで極めて簡便に取り外すことができる。そしてさらに、第二機構ユニット６０における第二機構ユニット本体６４と蓋６６とは、第二機構ユニット本体６４側の嵌合突条６５と蓋６６側の嵌合突条６７とによりバヨネット方式により嵌合されているので、軸心回りに所定角度回転させるだけで第二機構ユニット本体６４と蓋６６との嵌合固定を解除することができ、第二機構ユニット本体６４から蓋６６を工具無しに簡便に取り外すことができる。よって、特に第二機構ユニット６０内の副弁９２や自閉式開閉弁６２等の部品の交換や、第二機構ユニット６０内の清掃のための自閉水栓用カートリッジ２の分解作業について、極めて短い時間内で、かつ工具などを必要とせずに極めて簡便に行うことができる。また、組み立ての際には、前述した分解作業と逆の手順で行えば良く、組み立て作業も短時間にかつ極めて簡便に行うことができ、メンテナンス等の作業の全体も短時間にかつ極めて簡便に行うことができる。
【００３６】
また、第一機構ユニット２０と第二機構ユニット６０との固定、及び第二機構ユニット本体６４と蓋６６との固定をねじによって行わないので、これらの各部品間でねじ山を刻設する必要が無く、自閉水栓用カートリッジ２の全長をより短くすることができる。本例ではそれぞれねじ山を省略することにより従来より約２．５ｍｍずつ短くすることができ、二箇所のねじ山を省略したことにより、全長で約５ｍｍ短くすることができる。
【００３７】
なお、本発明は前述した実施の形態に限られず、本発明の趣旨の範囲内で種々の変更が可能である。例えば、「係合具」は前述したクイックファスナー１００のほか、「ピン」、「クリップ」などを用いることもでき、この場合には、「ピン」が挿通されて係合固定可能な「挿通孔」や、「クリップ」により係合固定可能な係合部を第一機構ユニット２０及び第二機構ユニット６０に設ける必要がある。また、「係合部」は突条の形状のほか、突起などの凸状の部位や、凹溝など凹状の部位などとしてもよい。また、バヨネット方式による嵌合のために設けた第二機構ユニット本体６４の嵌合突条６５と蓋６６の嵌合突条６７とは、所定間隔・長さでそれぞれ二つずつ周設したが、バヨネット方式により嵌合可能であれば三つずつ、や四つずつなどの他の数に設けても良い
【産業上の利用可能性】
【００３８】
本発明は自閉水栓用カートリッジ及び自閉水栓に利用することができる。
【符号の説明】
【００３９】
１；自閉水栓、２；自閉水栓用カートリッジ、３；水栓本体、４；温度調節ハンドル、５；シャワー吐水ハンドル、６；吐水口、７；シャワー接続口、８；湯側ソケット９；水側ソケット、１０；取付孔、１１；第一通水路、１２；第二通水路、１３；段部、１４；隔壁、２０；第一機構ユニット、２２；操作部、２４；スピンドル、２６；ホルダー、２７；段部、２８；キャップ、３０；ビス、３２ａ；第１シール部材、３２ｂ；第２シール部材、３２ｃ；第３シール部材、３２ｄ；第４シール部材、３２ｅ；第５シール部材、３３；コイルバネ、２４；ボンネット、３５；係止孔、３６；挿通孔、３７；円筒部、３８；リブ、３９；嵌合凹部、４０；第１係合部（突条）、５４；収納部材、５５；先端側開口部、５６；内側周縁部、５７；リブ、５８；基端側端部、６０；第二機構ユニット、６２；自閉式開閉弁、６４；第二機構ユニット本体、６５；嵌合突条、６６；蓋、６７；嵌合突条、６８；小径円筒部、７１；大径円筒部、７２；第２係合部（突条）、７３；嵌合凸部、７３ａ；平行部、７４；挿通孔、７５；挿嵌凹部、８０；圧力室、８１；コイルバネ８１ａ；クリーニングピン、８２；円筒部、８３；小穴、８４；通水孔、８６；スリーブ、８８；大径円筒部、９０；挿嵌部、９２；副弁、１００；クイックファスナー、１０１；本体部、１０２；係止片、１０４；湾曲部、１０６；連接部、１０８；嵌合孔１０８
【図１】
0005592684.tif 000002
【図２】
0005592684.tif 000003
【図３】
0005592684.tif 000004